(57)【要約】【課題】複数の表示画面を持つ表示装置において、ユーザから見た視認性および表示画質を損なわず、低電力で表示することが可能な表示装置を提供する。【解決手段】制御部１００は、第１表示部１１および第２表示部２１に表示する内容を示す表示情報を生成する。また、制御部１００は、表示モード判定処理を行い、第２表示部２１の表示モードを判定する。制御部１００は、制御部１００で生成された表示情報を表示メモリ部６０に記憶し、第１表示部１１および第２表示部２１へのリフレッシュ転送を行う。また、アプリケーションの指示、または、制御部１００の表示モード判定処理により、第２表示部２１の表示モードがメモリ表示モードになった場合、制御部１００は、第２表示部２１の画素内のメモリに表示情報を保存し、第２表示部２１を画素内のメモリからのメモリ表示に切り替える。【選択図】図２
2011248152.tif 000002
【特許請求の範囲】
【請求項１】
１以上の表示画面を有する第１筐体と、
前記第１筐体に可動連結され、１以上の表示画面を有する第２筐体と、を含み、
前記表示画面のうち少なくとも１つは画素内のメモリに記憶した情報を表示するメモリ表示機能を有する表示装置であって、
各表示画面の書き換え頻度を示す書き換え頻度情報を取得する第１取得手段と、
各表示画面に表示するための表示情報を取得する第２取得手段と、
少なくとも１つの前記表示画面に前記第２取得手段が取得した表示情報を表示させる通常表示手段と、
前記メモリ表示機能を有する表示画面に画素内のメモリに記憶した表示情報を表示させるメモリ表示手段と、
前記メモリ表示機能を有する表示画面に、前記書き換え頻度情報に基づいて、前記第２取得手段が取得した表示情報を表示させるか、画素内のメモリに記憶した表示情報を表示させるかを判定し、判定結果に基づいて表示を制御する表示制御手段と、を備え、
前記表示制御手段は、さらに、前記メモリ表示機能を有する表示画面に表示するための表示情報の条件に基づいて、各表示画面の表示属性の少なくとも１つを同一にする、
ことを特徴とする表示装置。
【請求項２】
前記メモリ表示機能を有する表示画面は、画素内のメモリに記憶した情報を表示する場合に色数が制限されるメモリ液晶であって、
前記表示制御手段は、前記メモリ表示機能を有する表示画面に表示するための表示情報に文字情報が含まれているか否かを判定し、文字情報が含まれている場合、当該文字情報に基づいて表示される文字の大きさを示すポイント数を算出し、当該ポイント数が所定の値よりも小さいか否かを判定する第１判定手段を備え、
前記第１判定手段が前記ポイント数が所定の値よりも小さいと判定した場合、前記メモリ表示機能を有しない表示画面と同様に、前記メモリ表示機能を有する表示画面に前記第２取得手段が取得した表示情報を表示させる、
ことを特徴とする請求項１に記載の表示装置。
【請求項３】
前記表示制御手段は、前記メモリ表示機能を有する表示画面に表示するための表示情報に文字情報が含まれている場合、前記メモリ表示機能を有する表示画面に画素内のメモリに記憶した前記表示情報を表示させる際、文字の色が黒、背景の色は白、または、文字の色が白、背景の色は黒で表示させる、
ことを特徴とする請求項２に記載の表示装置。
【請求項４】
前記第１筐体および前記第２筐体は、それぞれの表示画面に対応するバックライトを備え、
前記表示装置の周囲環境の照度を示す照度情報を取得する第３取得手段と、
前記表示画面に表示するための各表示情報が連携するものであるか否かを判定する第２判定手段と、
前記バックライトの駆動電流を制御するバックライト制御手段と、をさらに備え、
前記バックライト制御手段は、
前記第２判定手段が、前記表示画面に表示するための各表示情報が連携するものであると判定した場合は、前記照度情報に基づいて、連携する前記表示情報を表示する表示画面が同一輝度となるように、前記バックライトの駆動電流を制御し、
前記第２判定手段が、前記表示画面に表示するための各表示情報が連携しないものであると判定した場合は、前記照度情報に基づいて、前記メモリ表示機能を有する表示画面が画素内のメモリに記憶した表示情報を表示させる表示画面が最低限の視認性が得られる輝度となるように、前記バックライトの駆動電流を制御する、
ことを特徴とする請求項１乃至３のいずれか１項に記載の表示装置。
【請求項５】
前記第１取得手段は、前記メモリ表示機能を有する表示画面について、前記第２取得手段が前回取得した表示情報と今回取得した表示情報と比較し、所定の期間同一の表示情報であるか否かを判定し、
前記表示制御手段は、前記第１取得手段が所定の期間同一の表示情報であると判定した場合、書き換え頻度が低いと判断し、前記メモリ表示機能を有する表示画面に、画素内のメモリに記憶した表示情報を表示させる、
ことを特徴とする請求項１乃至４のいずれか１項に記載の表示装置。
【請求項６】
前記第１取得手段は、前記メモリ表示機能を有する表示画面について、ユーザからの操作入力がない無操作時間を測定して当該無操作時間が所定の値よりも長いか否かを判定し、
前記表示制御手段は、前記第１取得手段が前記無操作時間が所定の値よりも長いと判定した場合、書き換え頻度が低いと判断し、前記メモリ表示機能を有する表示画面に、前記第２取得手段が最後に取得した表示情報を画素内のメモリに記憶して表示させ、その後、ユーザからの操作入力があった場合に、前記第２取得手段が取得した表示情報を表示させる、
ことを特徴とする請求項１乃至５のいずれか１項に記載の表示装置。
【請求項７】
前記第１筐体および前記第２筐体が有するすべての表示画面は前記メモリ表示機能を有し、
前記表示装置の向きを示すスタイルを検知する検知手段をさらに備え、
前記表示制御手段は、前記検知手段が、前記第１筐体および前記第２筐体を横向きに開く横向きスタイルであることを検知した場合、一方の前記１つまたは２つの表示画面に前記第２取得手段が取得した表示情報を表示させ、他方の前記１つまたは２つの表示画面に予め設定された書き換え頻度の低い表示情報を画素内のメモリに記憶して表示させる、
ことを特徴とする請求項１乃至６のいずれか１項に記載の表示装置。
【請求項８】
前記表示制御手段は、前記検知手段が、前記第１筐体および前記第２筐体を縦向きに開く縦向きスタイルであることを検知した場合、一方の前記１つまたは２つの表示画面に前記第２取得手段が取得した表示情報を表示させ、他方の前記１つまたは２つの表示画面に予め設定された書き換え頻度の低い表示情報を画素内のメモリに記憶して表示させる、
ことを特徴とする請求項７に記載の表示装置。
【請求項９】
前記第２取得手段が取得した前記表示画面に表示するための表示情報が本の内容であるブックコンテンツおよびその目次である場合において、
前記検知手段が前記横向きスタイルであることを検知した場合、
前記表示制御手段は、一方の前記１つまたは２つの表示画面に、前記ブックコンテンツを表示させ、他方の前記１つまたは２つの表示画面に前記目次を画素内のメモリに記憶して表示させ、
前記検知手段が前記縦向きスタイルであることを検知した場合、
前記表示制御手段は、一方の前記１つまたは２つの表示画面に、前記ブックコンテンツを表示させ、他方の前記１つまたは２つの表示画面に前記目次を画素内のメモリに記憶して表示させる、
ことを特徴とする請求項７または８に記載の表示装置。
【請求項１０】
前記第１筐体および前記第２筐体はそれぞれ２つの表示画面を有し、
前記第２取得手段が取得した前記表示情報が文字入力アプリケーションの指示による表示情報である場合、
前記表示制御手段は、前記検知手段が検知した前記表示装置の向きに基づいて、前記第１筐体および前記第２筐体が有する４つの表示画面のうち、ユーザから見て上側になる２つの表示画面に前記文字入力アプリケーションの指示による表示情報を表示させ、ユーザから見て下側になる２つの表示画面に予め設定されたユーザが文字を入力するためのキーボードの表示情報を画素内のメモリに記憶して表示させる、
ことを特徴とする請求項７乃至９のいずれか１項に記載の表示装置。
【請求項１１】
前記第２取得手段が取得した前記メモリ表示機能を有する表示画面に表示するための表示情報が写真画像である場合、
前記表示制御手段は、前記表示画面にそれぞれ前記第２取得手段が取得した前記写真画像を画素内のメモリに記憶して表示させ、所定の時間が経過すると、次の表示情報である写真画像を、片方の表示画面毎に画素内のメモリに上書きして表示させる、
ことを特徴とする請求項１乃至１０のいずれか１項に記載の表示装置。
【請求項１２】
１つまたは２つの表示画面を有する第１筐体と、前記第１筐体に可動連結され、１つまたは２つの表示画面を有する第２筐体と、を含み、前記表示画面のうち少なくとも１つは画素内のメモリに記憶した情報を表示するメモリ表示機能を有する表示装置を制御するコンピュータに、
各表示画面の書き換え頻度を示す書き換え頻度情報を取得する機能と、
各表示画面に表示するための表示情報を取得する機能と、
各表示画面に前記取得した表示情報を表示させる機能と、
前記メモリ表示機能を有する表示画面に画素内のメモリに記憶した表示情報を表示させる機能と、
前記メモリ表示機能を有する表示画面に、前記書き換え頻度情報に基づいて、前記取得した表示情報を表示させるか、画素内のメモリに記憶した表示情報を表示させるかを判定し、判定結果に基づいて表示を制御する機能と、
前記メモリ表示機能を有する表示画面に表示するための表示情報の条件に基づいて、各表示画面の表示属性の少なくとも１つを同一にする機能と、
を実現させることを特徴とするプログラム。
【発明の詳細な説明】
【技術分野】
【０００１】
本発明は、表示装置、および、プログラムに関し、特に、２以上の画面で表示する携帯端末に好適な表示装置、および、プログラムに関する。
【背景技術】
【０００２】
近年の携帯電話や、携帯型ゲーム機などの携帯端末では、Ｗｅｂ閲覧や静止画、動画表示などの用途によるユーザの要求から、表示画面サイズの拡大が進んでいる。しかし、例えば携帯電話の場合、その特性上、ポケットに入れて快適に持ち運べるサイズの観点から、筐体のサイズは一定サイズ（横幅５ｃｍ程度）以下にする必要があり、これによって、表示画面サイズも３．５インチ程度が最大となる。また、携帯型ゲーム機などの場合も、ユーザが携帯するという特性上、サイズの制限がある。
【０００３】
これに対し、より表示画面サイズを大きく見せる案として、表示画面を２画面にし、折り畳み形状にすることで、表示時は２画面を連結し、表示を大きく見せる方法が出てきている。
【０００４】
特許文献１には、書き換え頻度の違う２つの情報を、低消費電力で２つの構造の液晶に表示する液晶表示装置が開示されている。特許文献１の液晶表示装置は、表示を行うのに常時駆動する液晶パネルとメモリ性の動作モードを有する液晶パネルとを備える。
【先行技術文献】
【特許文献】
【０００５】
【特許文献１】特開２００３−０２９２４２号公報
【発明の概要】
【発明が解決しようとする課題】
【０００６】
しかしながら、表示画面の増大および、表示画面を複数個にすることにより、表示に係わる電力が増大し、バッテリでの利用可能時間が短くなる問題がある。
【０００７】
特許文献１に係る技術では、ユーザから見た視認性および表示画質を損なわず、低電力で表示することがすることができない。
【０００８】
本発明は、上記実状に鑑みてなされたものであり、複数の表示画面を持つ表示装置において、ユーザから見た視認性および表示画質を損なわず、低電力で表示することが可能な表示装置を提供することを目的とする。
【課題を解決するための手段】
【０００９】
上記目的を達成するため、本発明の第１の観点にかかる表示装置は、
１以上の表示画面を有する第１筐体と、
前記第１筐体に可動連結され、１以上の表示画面を有する第２筐体と、を含み、
前記表示画面のうち少なくとも１つは画素内のメモリに記憶した情報を表示するメモリ表示機能を有する表示装置であって、
各表示画面の書き換え頻度を示す書き換え頻度情報を取得する第１取得手段と、
各表示画面に表示するための表示情報を取得する第２取得手段と、
少なくとも１つの前記表示画面に前記第２取得手段が取得した表示情報を表示させる通常表示手段と、
前記メモリ表示機能を有する表示画面に画素内のメモリに記憶した表示情報を表示させるメモリ表示手段と、
前記メモリ表示機能を有する表示画面に、前記書き換え頻度情報に基づいて、前記第２取得手段が取得した表示情報を表示させるか、画素内のメモリに記憶した表示情報を表示させるかを判定し、判定結果に基づいて表示を制御する表示制御手段と、を備え、
前記表示制御手段は、さらに、前記メモリ表示機能を有する表示画面に表示するための表示情報の条件に基づいて、各表示画面の表示属性の少なくとも１つを同一にすることを特徴とする。
【００１０】
上記表示装置において、
前記メモリ表示機能を有する表示画面は、画素内のメモリに記憶した情報を表示する場合に色数が制限されるメモリ液晶とすることができ、この場合、
前記表示制御手段は、前記メモリ表示機能を有する表示画面に表示するための表示情報に文字情報が含まれているか否かを判定し、文字情報が含まれている場合、当該文字情報に基づいて表示される文字の大きさを示すポイント数を算出し、当該ポイント数が所定の値よりも小さいか否かを判定する第１判定手段を備えていることが望ましく、
前記第１判定手段が、前記ポイント数が所定の値よりも小さいと判定した場合、前記メモリ表示機能を有しない表示画面と同様に、前記メモリ表示機能を有する表示画面に前記第２取得手段が取得した表示情報を表示させることが望ましい。
【００１１】
上記表示装置において、
前記表示制御手段は、前記メモリ表示機能を有する表示画面に表示するための表示情報に文字情報が含まれている場合、前記メモリ表示機能を有する表示画面に画素内のメモリに記憶した前記表示情報を表示させる際、文字の色が黒、背景の色は白、または、文字の色が白、背景の色は黒で表示させることが望ましい。
【００１２】
上記表示装置において、
前記第１筐体および前記第２筐体は、それぞれの表示画面に対応するバックライトを備えているものとすることができ、この場合、
前記表示装置の周囲環境の照度を示す照度情報を取得する第３取得手段と、
前記表示画面に表示するための各表示情報が連携するものであるか否かを判定する第２判定手段と、
前記バックライトの駆動電流を制御するバックライト制御手段と、
をさらに備えていることが望ましく、
前記バックライト制御手段は、
前記第２判定手段が、前記表示画面に表示するための各表示情報が連携するものであると判定した場合は、前記照度情報に基づいて、連携する前記表示情報を表示する表示画面が同一輝度となるように、前記バックライトの駆動電流を制御し、
前記第２判定手段が、前記表示画面に表示するための各表示情報が連携しないものであると判定した場合は、前記照度情報に基づいて、前記メモリ表示機能を有する表示画面が画素内のメモリに記憶した表示情報を表示させる表示画面が最低限の視認性が得られる輝度となるように、前記バックライトの駆動電流を制御することが望ましい。
【００１３】
上記表示装置において、
前記第１取得手段は、前記メモリ表示機能を有する表示画面について、前記第２取得手段が前回取得した表示情報と今回取得した表示情報と比較し、所定の期間同一の表示情報であるか否かを判定し、
前記表示制御手段は、前記第１取得手段が所定の期間同一の表示情報であると判定した場合、書き換え頻度が低いと判断し、前記メモリ表示機能を有する表示画面に、画素内のメモリに記憶した表示情報を表示させる、ことが望ましい。
【００１４】
上記表示装置において、
前記第１取得手段は、前記メモリ表示機能を有する表示画面について、ユーザからの操作入力がない無操作時間を測定して当該無操作時間が所定の値よりも長いか否かを判定し、
前記表示制御手段は、前記第１取得手段が前記無操作時間が所定の値よりも長いと判定した場合、書き換え頻度が低いと判断し、前記メモリ表示機能を有する表示画面に、前記第２取得手段が最後に取得した表示情報を画素内のメモリに記憶して表示させ、その後、ユーザからの操作入力があった場合に、前記第２取得手段が取得した表示情報を表示させる、ことが望ましい。
【００１５】
上記表示装置において、
前記第１筐体および前記第２筐体が有するすべての表示画面は前記メモリ表示機能を有していてもよく、この場合、
前記表示装置の向きを示すスタイルを検知する検知手段をさらに備えていることが望ましく、
前記表示制御手段は、前記検知手段が、前記第１筐体および前記第２筐体を横向きに開く横向きスタイルであることを検知した場合、一方の前記１つまたは２つの表示画面に前記第２取得手段が取得した表示情報を表示させ、他方の前記１つまたは２つの表示画面に予め設定された書き換え頻度の低い表示情報を画素内のメモリに記憶して表示させることが望ましい。
【００１６】
上記表示装置において、
前記表示制御手段は、前記検知手段が、前記第１筐体および前記第２筐体を縦向きに開く縦向きスタイルであることを検知した場合、一方の前記１つまたは２つの表示画面に前記第２取得手段が取得した表示情報を表示させ、他方の前記１つまたは２つの表示画面に予め設定された書き換え頻度の低い表示情報を画素内のメモリに記憶して表示させることが望ましい。
【００１７】
上記表示装置において、
前記第２取得手段が取得した前記表示画面に表示するための表示情報が本の内容であるブックコンテンツおよびその目次である場合において、
前記検知手段が前記横向きスタイルであることを検知した場合、前記表示制御手段は、一方の前記１つまたは２つの表示画面に、前記ブックコンテンツを表示させ、他方の前記１つまたは２つの表示画面に前記目次を画素内のメモリに記憶して表示させ、
前記検知手段が前記縦向きスタイルであることを検知した場合、前記表示制御手段は、ユーザから見て一方の前記１つまたは２つの表示画面に、前記ブックコンテンツを表示させ、他方の前記１つまたは２つの表示画面に前記目次を画素内のメモリに記憶して表示させる、ことが望ましい。
【００１８】
上記表示装置において、
前記第１筐体および前記第２筐体はそれぞれ２つの表示画面を有していてもよく、
前記第２取得手段が取得した前記表示情報が文字入力アプリケーションの指示による表示情報である場合、
前記表示制御手段は、前記検知手段が検知した前記表示装置の向きに基づいて、前記第１筐体および前記第２筐体が有する４つの表示画面のうち、ユーザから見て上側になる２つの表示画面に前記文字入力アプリケーションの指示による表示情報を表示させ、ユーザから見て下側になる２つの表示画面に予め設定されたユーザが文字を入力するためのキーボードの表示情報を画素内のメモリに記憶して表示させる、ことが望ましい。
【００１９】
上記表示装置において、
前記第２取得手段が取得した前記メモリ表示機能を有する表示画面に表示するための表示情報が写真画像である場合、
前記表示制御手段は、前記表示画面にそれぞれ前記第２取得手段が取得した前記写真画像を画素内のメモリに記憶して表示させ、所定の時間が経過すると、次の表示情報である写真画像を、片方の表示画面毎に画素内のメモリに上書きして表示させることが望ましい。
【００２０】
上記目的を達成するため、本発明の第２の観点にかかるプログラムは、
１つまたは２つの表示画面を有する第１筐体と、前記第１筐体に可動連結され、１つまたは２つの表示画面を有する第２筐体と、を含み、前記表示画面のうち少なくとも１つは画素内のメモリに記憶した情報を表示するメモリ表示機能を有する表示装置を制御するコンピュータに、
各表示画面の書き換え頻度を示す書き換え頻度情報を取得する機能と、
各表示画面に表示するための表示情報を取得する機能と、
各表示画面に前記取得した表示情報を表示させる機能と、
前記メモリ表示機能を有する表示画面に画素内のメモリに記憶した表示情報を表示させる機能と、
前記メモリ表示機能を有する表示画面に、前記書き換え頻度情報に基づいて、前記取得した表示情報を表示させるか、画素内のメモリに記憶した表示情報を表示させるかを判定し、判定結果に基づいて表示を制御する機能と、
前記メモリ表示機能を有する表示画面に表示するための表示情報の条件に基づいて、各表示画面の表示属性の少なくとも１つを同一にする機能と、
を実現させることを特徴とする。
【発明の効果】
【００２１】
本発明によれば、複数の表示画面を持つ表示装置において、ユーザから見た視認性および表示画質を損なわず、低電力で表示することが可能な表示装置を提供することができる。
【図面の簡単な説明】
【００２２】
【図１】実施形態１に係る表示装置の外観構成例を示す図である。
【図２】図１に示す表示装置の内部構成例を示すブロック図である。
【図３】図２に示す制御部によって実現される機能構成例を示す機能ブロック図である。
【図４】実施形態１に係る表示情報と分割方法と表示画像の関係を示す図である。
【図５】実施形態１に係るバックライト駆動電流テーブルの例である。
【図６】実施形態１に係る表示処理の動作の一例を示すフローチャートである。
【図７】実施形態１に係る表示モード判定処理の動作の一例を示すフローチャートである。
【図８】実施形態１に係るバックライト駆動判定処理の動作の一例を示すフローチャートである。
【図９】本発明の実施形態２に係る表示処理の動作の一例を示すフローチャートである。
【図１０】実施形態２に係るバックライト駆動判定処理の動作の一例を示すフローチャートである。
【図１１】本発明の実施形態３に係る制御部によって実現される機能構成例を示す機能ブロック図である。
【図１２】実施形態３に係る表示処理の動作の一例を示すフローチャートである。
【図１３】本発明の実施形態４に係る表示装置の内部構成例を示すブロック図である。
【図１４】実施形態４に係る表示装置の取り得るスタイルの例を示す図である。
【図１５】実施形態４に係る表示装置の各スタイルにおける時間経過に応じた表示例を示す図である。
【図１６】実施形態４に係る表示装置においてブックビューワアプリケーションを起動した場合の表示例を示す図である。
【図１７】実施形態４に係る表示装置においてフォトビューワアプリケーションを起動した場合の表示例を示す。
【図１８】実施形態４に係る表示処理の動作の一例を示すフローチャートである。
【図１９】本発明の実施形態５に係る表示装置の外観構成例を示す図である。
【図２０】図１９に示す表示装置の内部構成例を示すブロック図である。
【図２１】実施形態５に係る表示装置の取り得るスタイルの例を示す図である。
【図２２】実施形態５に係る表示情報と分割方法と表示画像の関係を示す図である。
【図２３】実施形態５に係る表示処理の動作の一例を示すフローチャートである。
【図２４】実施形態５に係る判定表示処理の動作の一例を示すフローチャートである。
【図２５】本発明の実施形態６にかかる表示装置の内部構成例を示すブロック図である。
【図２６】図２５に示す表示装置が取り得るスタイルと表示画面の例を示す図である。
【図２７】実施形態６に係る表示処理の動作の一例を示すフローチャートである。
【発明を実施するための形態】
【００２３】
以下、図面を参照して、本発明にかかる実施形態を説明する。なお、図中同一または相当部分には同一符号を付す。なお、本発明は、例えば、携帯電話などの移動体通信端末、携帯型ゲーム機、ＰＤＡや小型パソコンなどといった、表示画面サイズに制限がある電子機器への適用が好適である。
【００２４】
なお、本発明において、表示情報の条件とは、メモリ表示機能を有する表示画面に表示するための表示情報に文字情報が含まれており、当該文字情報に基づいて表示される文字の大きさを示すポイント数が所定の値よりも小さいことや、複数の表示画面の各表示情報が連携するものであることなどである。表示属性を同一にするとは、複数の表示画面をすべて通常表示にすることや、表示画面が同一輝度になるようにバックライトの駆動電流を制御することなどである。
【００２５】
（実施形態１）
以下、本発明にかかる表示装置を移動体通信端末に適用した場合を例に説明する。図１は、本実施形態に係る移動体通信端末１の外観を示す図である。図示するように、本実施形態に係る移動体通信端末１は、第１筐体１０と第２筐体２０を有する構成であり、第１筐体１０と第２筐体２０とは、例えば、ヒンジなどによって可動連結されている。
【００２６】
すなわち、移動体通信端末１は、いわゆる折り畳み式の開閉機構を有する筐体構造を備えている。このような開閉機構を有する第１筐体１０と第２筐体２０は、表示面を内にして完全に閉めた状態（見開き角０度）から、完全に開いている状態（見開き角１８０度）まで開閉できるものとする。
【００２７】
ここで、第１筐体１０には、第１表示部１１および第１入力部１２（詳細後述）が構成され、第２筐体２０には第２表示部２１および第２入力部２２（詳細後述）が構成されている。
【００２８】
また、第１筐体１０内の基板には周囲の環境の照度を検出できる光センサなどから構成される照度検出部５０（詳細後述）が実装されており、表示面側に光センサが露出するよう構成される。
【００２９】
このような外観構成を有する移動体通信端末１の内部構成を、図２を参照して説明する。図２は、本実施形態に係る移動体通信端末１の内部構成例を示すブロック図である。図示するように、移動体通信端末１は、第１表示部１１、第１入力部１２、第１バックライト１３、第２表示部２１、第２入力部２２、第２バックライト２３、照度検出部５０、表示メモリ部６０、記憶部７０、制御部１００、などから構成される。
【００３０】
第１表示部１１は、例えば、ＨＶＧＡ（Half VGA (Video Graphics Array)：ハーフＶＧＡ）サイズの半透過液晶表示パネルなどから構成された表示装置であり、制御部１００からリフレッシュ転送される表示情報を表示する。
【００３１】
第１入力部１２は、例えば、静電容量式または感圧式の接触センサなどから構成され、本実施形態では、第１表示部１１の表示画面上に形成されることで第１表示部１１と協働したタッチパネルとして機能し、ユーザからの操作入力を受け付ける。
【００３２】
第１バックライト１３は、例えば、ＬＥＤ（Light Emitting Diode：発光ダイオード）などの発光装置から構成され、背面（裏面）側から第１表示部１１の表示パネルを照明する。本実施形態では、複数のＬＥＤが配列されたＬＥＤアレイによって第１バックライト１３が構成されているものとする。
【００３３】
第２表示部２１は、第１表示部１１と同様のＨＶＧＡサイズの半透過液晶表示パネルなどから構成された表示装置であるが、第１表示部１１と異なり、各画素内にＲＧＢ各１ｂｉｔのメモリを備えた、いわゆるメモリ表示可能な表示装置である。
【００３４】
本実施形態に係る第２表示部２１は、このようなメモリ表示可能な構成（メモリ表示機能）を有することにより、制御部１００からリフレッシュ転送される表示情報の表示（以下、「通常表示」とする）を行うか、制御部１００からのリフレッシュ転送なしで、第２表示部２１の各画素内のメモリから８色表示（以下、「メモリ表示」とする）を行うかを切り替えることが可能となっている。
【００３５】
すなわち、第２表示部２１にかかる表示動作においては、複数の表示モードを切り替えて制御することができるものであり、以下、リフレッシュ転送される表示情報を表示するモードを「通常表示モード」とし、メモリ表示機能を用いたリフレッシュ転送を要さない表示モードを「メモリ表示モード」とする。
【００３６】
第２入力部２２は、例えば、静電容量式または感圧式の接触センサなどから構成され、本実施形態では、第２表示部２１の表示画面上に形成されることで第２表示部２１と協働したタッチパネルとして機能し、ユーザからの操作入力を受け付ける。
【００３７】
第２バックライト２３は、例えば、ＬＥＤなどの発光装置から構成され、背面（裏面）側から第２表示部２１の表示パネルを照明する。本実施形態では、複数のＬＥＤが配列されたＬＥＤアレイによって第２バックライト２３が構成されているものとする。
【００３８】
照度検出部５０は、例えば、光センサなどから構成され、移動体通信端末１の周囲環境の明るさ（照度）を検出する。
【００３９】
表示メモリ部６０は、例えば、ＲＡＭ（Random Access Memory）やＶＲＡＭ（Video RAM）などの記憶装置から構成され、表示動作にかかるフレームバッファとして使用される。
【００４０】
記憶部７０は、例えば、フラッシュメモリなどの記憶装置から構成され、制御部１００が実行する動作プログラムやデータなどを格納する。
【００４１】
制御部１００は、例えば、ＣＰＵ（Central Processing Unit：中央演算処理装置）やワークエリアとなるＲＡＭ（Random Access Memory）などから構成され、移動体通信端末１の各部を制御する他、記憶部７０に格納されている動作プログラムを実行することで、図３に示すような機能を実現し、後述する各処理を実行する。図３は、制御部１００によって実現される機能を示す機能ブロック図である。
【００４２】
本実施形態では、動作プログラムの実行により、制御部１００が、表示情報生成部１１１、表示モード判定部１１２、表示制御部１１３、バックライト制御部１１４、などとして機能する。
【００４３】
表示情報生成部１１１は、第１表示部１１および第２表示部２１に表示する内容を示す表示情報を生成する。
【００４４】
表示モード判定部１１２は、後述する表示モード判定処理を行い、第２表示部２１の表示モードを判定する。
【００４５】
表示制御部１１３は、表示情報生成部１１１で生成された表示情報を表示メモリ部６０にフレームバッファリングし、第１表示部１１および第２表示部２１へのリフレッシュ転送を行う。また、アプリケーションの指示、または、表示モード判定部１１２の表示モード判定処理により、第２表示部２１の表示モードがメモリ表示モードになった場合、第２表示部２１の画素内のメモリに表示情報を保存し、第２表示部２１を画素内のメモリからのメモリ表示に切り替える。
【００４６】
表示制御部１１３による表示制御の詳細を、図４を参照して説明する。図４は、実施形態１に係る表示情報と分割方法と表示画像の関係を示す図である。
【００４７】
第１表示部１１および第２表示部２１ともに通常モードで表示する場合、表示制御部１１３は、図４に示すように、表示情報生成部１１１から受け取った表示情報の画像のサイズと向きから、表示画像の分割および並び替え方法を決定し、表示画像の分割および並び替えを行い、表示メモリ部６０（フレームバッファ）に展開する。
【００４８】
ここで、アプリケーションの表示内容更新と、表示情報生成部１１１による表示情報の更新は、例えば、３０Ｈｚで行われるものとする。この場合、表示制御部１１３は、表示情報生成部１１１から表示情報を受け取る度に、表示画像の分割とデータの並び替えを行い、表示メモリ部６０を更新する。表示制御部１１３は、表示メモリ部６０に展開された第１表示部１１および第２表示部２１に表示するための表示情報をそれぞれの表示部へＲＧＢ８８８・６０Ｈｚでリフレッシュ転送する。第１表示部１１および第２表示部２１はリフレッシュ転送された表示情報を表示する。
【００４９】
例えば、表示情報生成部１１１が表示情報としてサイズがＷ６４０×Ｈ４８０の横長のＶＧＡ画像を生成した場合、分割方法は「縦分割」となる。第１表示部１１に表示する表示画像は元の画像の左側の画像（サイズ：Ｗ３２０×Ｈ４８０）となり、第２表示部２１に表示する表示画像は元の画像の右側の画像（サイズ：Ｗ３２０×Ｈ４８０）となる。
【００５０】
第２表示部２１に通常表示モードで表示させる場合、表示制御部１１３は、表示情報生成部１１１で作成された情報を、第１表示部１１および第２表示部２１へ表示するため、図４に示すように、その画像のサイズと向きから、表示画像の分割とデータの並び替え方法を決定、分割と並び替えを行い、表示メモリ部６０に展開する。
【００５１】
その後、アプリケーションの表示内容更新と、表示情報生成部１１１からの表示情報の更新は３０Ｈｚで行われ、その都度、表示制御部１１３は表示画像の分割とデータの並び替えを行い、表示メモリ部６０を更新する。そして、表示制御部１１３は、表示メモリ部６０に展開されている、第１表示部１１および第２表示部２１の表示情報を、それぞれの表示部へＲＧＢ８８８・６０Ｈｚでリフレッシュ転送し、第１表示部１１および第２表示部２１はリフレッシュ転送されたデータの内容を表示する。
【００５２】
一方、第２表示部２１にメモリ表示モードで表示させる場合、表示制御部１１３は、表示情報生成部１１１から受け取った表示情報について、図４に示すように、その画像のサイズと向きから、表示画像の分割とデータの並び替え方法を決定、分割と並び替えを行い、表示メモリ部６０に展開する。
【００５３】
この時、表示制御部１１３は、第２表示部２１へ表示するための表示情報の、ＲＧＢ各画素８ｂｉｔデータの最上位ビットのみを残し、ＲＧＢ１１１（＝８色表示）のデータとして表示メモリ部６０に展開する。この際、ディザ処理等でエッジをなめらかにする処理などを追加しても構わない。
【００５４】
その後、アプリケーションの表示内容更新と、表示情報生成部１１１による表示情報の更新は、第１表示部１１用のＨＶＧＡサイズの表示画像についてのみ３０Ｈｚで行われ、表示制御部１１３は、第１表示部１１の表示情報についてのみ、表示メモリ部６０を更新する。そして表示制御部１１３は、表示メモリ部６０に展開された第１表示部１１への表示情報のみを、第１表示部１１へＲＧＢ８８８・６０Ｈｚでリフレッシュ転送し、第２表示部２１へのＲＧＢ１１１の画像は、１度だけ第２表示部２１へ転送する。その際、第１表示部１１はリフレッシュ転送されたデータの内容を表示し、第２表示部２１は得られた表示情報を画素内のメモリに保存し、第２表示部２１の画素内のメモリからのメモリ表示に切り替える。
【００５５】
その後、メモリ表示を行うモードが終わるまで、表示情報生成部１１１は、第１表示部１１の表示情報のみを生成して３０Ｈｚで転送し、表示制御部１１３も、第１表示部１１への表示情報のみを第１表示部１１へＲＧＢ８８８・６０Ｈｚで転送する。
【００５６】
図３に戻り、制御部１００により実現される機能構成の説明を続ける。
【００５７】
バックライト制御部１１４は、照度検出部５０との協働により、各表示部におけるバックライトを制御する。本実施形態では、図５に示すようなバックライト駆動電流テーブルを参照することで、バックライトの制御をおこなう。
【００５８】
図５は、実施形態１に係るバックライト駆動電流テーブルの例であり、本実施形態では、このようなバックライト駆動電流テーブルが記憶部７０に格納されているものとする。
【００５９】
図５（ａ）に示すように、バックライト駆動電流テーブルは、あらかじめ設定しておいた周囲の環境照度（環境輝度）と、それに対応するバックライトＬＥＤ１灯あたりに流す電流とで構成される。バックライトＬＥＤ１灯あたりに流す電流は、視認性を優先する場合と、低消費電力動作を優先する場合に分けられている。
【００６０】
ここで、通常表示モードの場合は、視認性が優先されるものとする。すなわち、図５（ａ）の例では、通常表示モードの場合、照度検出部５０が取得した環境照度情報に対応する「環境輝度」の行と、「視認性優先」の列とが交差する箇所の値をバックライトのＬＥＤ１灯あたりに流す電流値とする。
【００６１】
メモリ表示モードの場合は、第２表示部２１の表示情報が第１表示部１１の表示情報と連携しているか否かが判定される。例えば、第２表示部２１の表示情報が第１表示部１１の表示情報と異なるアプリケーションにより作成されている、もしくは、同じアプリケーションにより作成されているがアプリケーションにより表示情報が独立していると指示がある場合、第２表示部２１の表示情報は第１表示部１１の表示情報と独立していると判定する。
【００６２】
一方、第２表示部２１の表示情報が、第１表示部１１の表示情報と同じアプリケーションにより作成されており、かつ、アプリケーションから表示情報が独立していると指示がない場合は、第２表示部２１の表示情報は第１表示部１１の表示情報と連携していると判定する。
【００６３】
本実施形態では、第２表示部２１の表示情報が第１表示部１１の表示情報と独立していると判定された場合、低消費電力で動作することが優先されるものとする。この場合、図５（ａ）の例のバックライト駆動電流テーブルを参照し、照度検出部５０が取得した環境照度情報に対応する「環境輝度」の行と、「低消費電力優先」の列とが交差する箇所の値をバックライトのＬＥＤ１灯あたりに流す電流値とする。
【００６４】
一方、第２表示部２１の表示情報が第１表示部１１の表示情報と連携していると判定された場合は、視認性が優先されるものとする。この場合、図５（ａ）の例のバックライト駆動電流テーブルを参照し、照度検出部５０が取得した環境照度情報に対応する「環境輝度」の行と、「視認性優先」の列とが交差する箇所の値をバックライトのＬＥＤ１灯あたりに流す電流値とする。
【００６５】
また、第１表示部１１と第２表示部２１の特性が異なり、同じ駆動電流で表示面の輝度が同一とならない場合は、図５（ｂ）に示すような、それぞれの表示部の特性に合わせて、ほぼ同一の表面輝度となるバックライト駆動電流テーブルをあらかじめ作成しておき、そのテーブルのそれぞれの表示部専用の列を参照する。
【００６６】
バックライト制御部１１４は、このようにバックライト駆動電流テーブルを参照して得られたバックライト駆動電流の値で動作するよう第１バックライト１３および第２バックライト２３を制御し、点灯させる。
【００６７】
以上説明した移動体通信端末１の各構成は、本発明を実現するために必要な構成であり、移動体通信端末としての基本機能に必要なその他の構成や、種々の付加機能に必要な構成などは、必要に応じて備えられているものとする。
【００６８】
以上のような構成の移動体通信端末１における表示動作を、図６に示すフローチャートを参照して説明する。図６は、実施形態１に係る表示処理（「表示処理１」）の動作の一例を示すフローチャートである。この処理は、アプリケーションを起動したことを契機として開始する。
【００６９】
ユーザが第１入力部１２または第２入力部２２に操作入力してアプリケーションを起動すると、まず、表示情報生成部１１１は、アプリケーションの指示により、ＶＧＡサイズ１面、もしくはＨＶＧＡサイズ２面の第１表示部１１および第２表示部２１に表示するための表示情報を生成する（ステップＳ１１）。
【００７０】
そして、表示モード判定部１１２は、アプリケーションからの第２表示部２１の表示モードの指定があるか否かを判定する（ステップＳ１２）。アプリケーションは、第２表示部２１に表示する内容の種類から、例えば、動画表示や、アニメーションが入ったＷｅｂ表示の場合は、情報更新が頻繁であるため通常表示、静止画や文字入力のキーボードなどの固定された表示の場合は、情報更新が頻繁でないためメモリ表示にするなど、その表示内容が自身によって頻繁に情報更新がされる内容かどうかで、表示モードを指定することができる。
【００７１】
第２表示部２１の表示モードの指定がアプリケーションからある場合（ステップＳ１２；ＮＯ）、表示モード判定部１１２は、当該指定が通常表示モードであるか否かを判定する（ステップＳ１６）。
【００７２】
アプリケーションからの指定が通常表示モードである場合（ステップＳ１６；ＹＥＳ）、表示モード判定部１１２は、その旨を表示制御部１１３に通知する。この場合、表示制御部１１３は、第１表示部１１および第２表示部２１に表示情報生成部１１１が生成した表示情報を通常表示させる（ステップＳ１７）。
【００７３】
一方、アプリケーションからの指定が通常表示モードでない場合（ステップＳ１６；ＮＯ）、表示モード判定部１１２はその旨を表示制御部１１３に通知し、この場合、表示制御部１１３は、第１表示部１１に表示情報生成部１１１が生成した表示情報を通常表示させ、第２表示部２１にメモリ表示させる（ステップＳ１５）。
【００７４】
また、第２表示部２１の表示モードの指定がアプリケーションからなされていない場合（ステップＳ１２；ＹＥＳ）、表示モード判定部１１２は、「表示モード判定処理」を行い、第２表示部２１の表示モードを判定する（ステップＳ１３）。「表示モード判定処理」の詳細は後述する。
【００７５】
表示モード判定部１１２が判定した第２表示部２１の表示モードが、メモリ表示モードだった場合（ステップＳ１４；ＹＥＳ）、表示制御部１１３は、第１表示部１１に表示情報生成部１１１が生成した表示情報を通常表示させ、第２表示部２１にメモリ表示させる（ステップＳ１５）。
【００７６】
一方、表示モード判定部１１２が判定した第２表示部２１の表示モードが、メモリ表示モードでなかった場合（ステップＳ１４；ＮＯ）、表示制御部１１３は、第１表示部１１および第２表示部２１に表示情報生成部１１１が生成した表示情報を通常表示させる（ステップＳ１７）。
【００７７】
例えば、文字入力アプリケーションにおけるキーボード表示のように、アプリケーションによって最初から情報更新の頻度が低いことが明らかな場合は、アプリケーションは、最初に表示情報生成部１１１が作成する画面情報を、２つのＨＶＧＡ画面で、第１表示部１１用（ＲＧＢ８８８）、第２表示部２１用（ＲＧＢ１１１＝８色）とし、第１表示部１１は通常表示モード、第２表示部２１はメモリ表示モードを指定し、表示処理を行う。
【００７８】
次に、バックライト制御部１１４により、バックライトの駆動電流の値を算出する「バックライト駆動判定処理」が実行され（ステップＳ１８）、バックライト駆動判定処理の結果取得した値の駆動電流で第１バックライト１３および第２バックライト２３を同時に点灯する（ステップＳ１９）。「バックライト駆動判定処理」の詳細は後述する。
【００７９】
アプリケーションを終了していない場合（ステップＳ２０：ＮＯ）、ステップＳ１１に戻り、ステップＳ１１〜ステップＳ２０を繰り返す。アプリケーションを終了した場合（ステップＳ２０：ＹＥＳ）、処理を終了する。
【００８０】
ここで、上述した「表示処理１」において実行される表示モード判定処理の詳細を、図７を参照して説明する。図７は、実施形態１に係る表示モード判定処理（「表示モード判定処理１」）の動作の一例を示すフローチャートである。図７の「表示モード判定処理１」は、図６に示した「表示処理１」のステップＳ１３に定義する処理である。
【００８１】
処理が開始されるとまず、表示モード判定部１１２が、表示制御部１１３へ３０Ｈｚで転送される表示情報について、前回の表示情報と今回の表示情報とを比較する（ステップＳ２１）。
【００８２】
そして、前回の表示情報と今回の表示情報とが同一でない場合（ステップＳ２２；ＮＯ）、情報更新の頻度が高いと判断し、第２表示部２１の表示モードを通常表示モードと判定して（ステップＳ２９）、処理を終了する。
【００８３】
ここで、初回の転送の場合は、「前回の表示情報なし」として、情報更新の頻度が高いと判断し、通常表示モードとする。前回の表示情報と今回の表示情報とが同一だった場合（ステップＳ２２；ＹＥＳ）、表示モード判定部１１２は、同一だった回数（＋１）をカウントする（ステップＳ２３）。カウントした回数が所定の回数と一致しない場合（ステップＳ２４；ＮＯ）、ステップＳ２１に戻り、ステップＳ２１〜ステップＳ２４を繰り返す。
【００８４】
一方、カウントした回数が所定の回数と一致した場合（ステップＳ２４；ＹＥＳ）、表示モード判定部１１２は、表示の情報更新頻度が低いと判断し、表示情報に文字情報が含まれているか否かを判定する（ステップＳ２５）。表示情報に文字情報が含まれていない場合（ステップＳ２５；ＮＯ）、表示モード判定部１１２は、第２表示部２１の表示モードをメモリ表示モードと判定して（ステップＳ３０）、処理を終了する。
【００８５】
表示情報に文字情報が含まれている場合（ステップＳ２５；ＹＥＳ）、表示制御部１１３は、例えば、表示情報に対して、文字が黒（Ｒ＝０、Ｇ＝０、Ｂ＝０）、背景が白（Ｒ＝２５５、Ｇ＝２５５、Ｂ＝２５５）となるように補正する（ステップＳ２６）。
【００８６】
これは、メモリ表示モードを行う際に、表示される色数が、通常表示モード（ＲＧＢ８８８）の約６万５千色から、メモリ表示モード（ＲＧＢ１１１）の８色になる減色処理を行う事により、文字情報の内、各色の最上位ビットが１に満たない薄い色の文字が消失することや、文字情報と背景が共に、最上位ビットが１以上の時に、８色減色処理により、文字と背景が共に原色となることによるコントラストの低下による視認性の悪化を低減できるようにする補正である。なお、例えば、文字の色が白、背景の色が黒となるように補正してもよい。すなわち、コントラストの低下による視認性の悪化を低減できるのであれば、文字色と背景色の組み合わせは任意である。
【００８７】
次に、表示モード判定部１１２は、当該文字情報と、表示する表示部のｄｐｉ（ドットパーインチ）の情報およびその拡縮率とから、実際の表示面に表示される文字のポイント数を算出する（ステップＳ２７）。
【００８８】
当該文字表示サイズが所定のポイント数以下である場合（ステップＳ２８；ＹＥＳ）、表示モード判定部１１２は、８色減色処理により、文字の輪郭情報の消失や、コントラストの低下により、メモリ表示モードでは視認性が低下すると判断し、第２表示部２１の表示モードを通常表示モードと判定して（ステップＳ２９）、処理を終了する。
【００８９】
当該文字表示サイズが所定のポイント数以下でない場合（ステップＳ２８；ＮＯ）、メモリ表示モードでも視認性が低下しないと判断し、第２表示部２１の表示モードをメモリ表示モードと判定して（ステップＳ３０）、処理を終了する。
【００９０】
次に、上述した「表示処理１」で実行されるバックライト駆動判定処理の詳細を、図８に示すフローチャートを参照して説明する。図８は、実施形態１に係るバックライト駆動判定処理（「バックライト駆動判定処理１」）の動作の一例を示すフローチャートである。図８の「バックライト駆動判定処理１」は、図６に示した「表示処理１」のステップＳ１８に定義する処理である。
【００９１】
処理が開始されるとまず、バックライト制御部１１４は、照度検出部５０から、光センサによって検出された周辺環境の明るさを示す照度情報を取得する（ステップＳ３１）。
【００９２】
次に、バックライト制御部１１４は、表示制御部１１３に問い合わせることで、現在の第２表示部２１の表示モードがメモリ表示モードであるか否かを判定する（ステップＳ３２）。
【００９３】
第２表示部２１の表示モードがメモリ表示モードでない場合（ステップＳ３２；ＮＯ）、バックライト制御部１１４は、バックライト駆動電流テーブルの視認性優先パラメータを参照する（ステップＳ３４）。そして、バックライト制御部１１４は、バックライト駆動電流の値を取得して（ステップＳ３６）、処理を終了する。
【００９４】
一方、第２表示部２１の表示モードがメモリ表示モードである場合（ステップＳ３２；ＹＥＳ）、バックライト制御部１１４は、第１表示部１１および第２表示部２１の表示情報が連携しているか否かを判定する（ステップＳ３３）。
【００９５】
第１表示部１１と第２表示部２１の表示情報が連携している場合（ステップＳ３３；ＹＥＳ）、すなわち、第２表示部２１の表示情報が、第１表示部１１の表示情報と同じアプリケーションにより作成されており、かつ、アプリケーションから表示情報が独立していると指示がない場合、バックライト制御部１１４は、バックライト駆動電流テーブルの視認性優先パラメータを参照する（ステップＳ３４）。そして、バックライト制御部１１４は、バックライト駆動電流の値を取得して（ステップＳ３６）、処理を終了する。
【００９６】
一方、第１表示部１１と第２表示部２１の表示情報が独立している場合（ステップＳ３３；ＮＯ）、すなわち、第２表示部２１の表示情報が第１表示部１１の表示情報と異なるアプリケーションにより作成されている、もしくは、同じアプリケーションにより作成されているが、アプリケーションにより表示情報が独立していると指示がある場合、バックライト制御部１１４は、バックライト駆動電流テーブルの低消費電力優先パラメータを参照する（ステップＳ３５）。そして、バックライト制御部１１４は、バックライト駆動電流の値を取得して（ステップＳ３６）、処理を終了する。
【００９７】
以上説明したように、本発明を上記実施形態の如く適用することにより、２つの表示画面を持つ表示装置において、ユーザから見た視認性および表示画質を損なわず、低電力で表示することができる。
【００９８】
また、前述のバックライト駆動電流テーブルを参照してバックライトの明るさを制御することにより、第１表示部１１および第２表示部２１が連動している場合、もしくは２つの表示部で１つの画像を表示している場合に、片方の表示部のみのバックライトが暗くなり、２つの表示部をあわせた状態での視認性の悪化を防ぐ事が出来る。そして、視認性が悪化しない場合は、バックライトの駆動電流を低減することで、低電力で表示することができる。
【００９９】
さらに、それぞれの表示部の特性に合わせて、ほぼ同一の表面輝度となるバックライト駆動電流テーブルをあらかじめ作成しておき、そのテーブルのそれぞれの表示部専用の列を参照することにより、第１表示部１１および第２表示部２１の特性が異なり、第１表示部１１および第２表示部２１が連動している場合、もしくは２つの表示部で１つの画像を表示している場合でも、２つの表示部の表示の輝度が異なることによる２つの表示部をあわせた状態での視認性の悪化を防ぐ事が出来る。
【０１００】
また、前回転送時の表示情報と今回の表示情報とを比較し、所定の期間同一の表示情報である場合には、表示の情報更新頻度が低いと判断し、メモリ表示に切り替えることで、低電力で表示することができる。
【０１０１】
また、メモリ表示モードを行う際に、表示情報に文字情報が含まれている場合、文字色を黒に背景色を白にすることで、８色減色処理に伴う文字の消失や、コントラストの低下による視認性の悪化を低減できる。
【０１０２】
さらに、実際の表示面に表示される文字のポイント数を算出し、当該文字表示サイズが所定のポイント数以下である場合はメモリ表示しないことで、視認性の悪化を低減できる。
【０１０３】
（実施形態２）
実施形態２に係る移動体通信端末１は、実施形態１と同様の構成であるが、実施形態２では、第２表示部２１だけでなく、第１表示部１１も各画素内にＲＧＢ各１ｂｉｔのメモリを備えたメモリ表示可能な表示装置から構成されている。すなわち、第１表示部１１と第２表示部２１の双方において、制御部１００からリフレッシュ転送される表示情報の表示を行うか、制御部１００からのリフレッシュ転送なしで各画素内のメモリから８色表示を行うかを切り替えることが可能である。
【０１０４】
このような構成の移動体通信端末１による表示動作を、図９に示すフローチャートを参照して説明する。図９は、実施形態２に係る表示処理（「表示処理２」）の動作の一例を示すフローチャートである。この処理は、アプリケーションを起動したことを契機として開始する。
【０１０５】
ユーザが第１入力部１２または第２入力部２２に操作入力してアプリケーションを起動すると、まず、表示情報生成部１１１により、アプリケーションの指示により、ＶＧＡサイズ１面、もしくはＨＶＧＡサイズ２面の第１表示部１１および第２表示部２１に表示するための表示情報が生成される（ステップＳ４１）。
【０１０６】
そして、表示モード判定部１１２は、第１表示部１１の表示モードの指定がアプリケーションからあるか否かを判定する（ステップＳ４２）。第１表示部１１の表示モードの指定アプリケーションからがある場合（ステップＳ４２；ＮＯ）、表示モード判定部１１２は、当該指定が通常表示モードであるか否かを判定する（ステップＳ４６）。
【０１０７】
アプリケーションからの指定が通常表示モードである場合（ステップＳ４６；ＹＥＳ）、表示モード判定部１１２は、その旨を表示制御部１１３に通知する。この場合、表示制御部１１３は、表示情報生成部１１１が生成した表示情報を第１表示部１１に通常表示させる（ステップＳ４７）。
【０１０８】
一方、アプリケーションからの指定が通常表示モードでない場合（ステップＳ４６；ＮＯ）、表示モード判定部１１２がその旨を表示制御部１１３に通知し、この場合表示制御部１１３は、第１表示部１１にメモリ表示させる（ステップＳ４５）。
【０１０９】
一方、第１表示部１１の表示モードの指定がアプリケーションからなされていない場合（ステップＳ４２；ＹＥＳ）、表示モード判定部１１２は、「表示モード判定処理」を行い、第１表示部１１の表示モードを判定する（ステップＳ４３）。ここでの「表示モード判定処理」は、図７に示した実施形態１の「表示モード判定処理１」と同一である。
【０１１０】
表示モード判定部１１２が判定した第１表示部１１の表示モードが、メモリ表示モードだった場合（ステップＳ４４；ＹＥＳ）、表示制御部１１３は、第１表示部１１にメモリ表示させる（ステップＳ４５）。一方、表示モード判定部１１２が判定した第１表示部１１の表示モードが、メモリ表示モードでなかった場合（ステップＳ４４；ＮＯ）、表示制御部１１３は、表示情報生成部１１１が生成した表示情報を第１表示部１１に通常表示させる（ステップＳ４７）。
【０１１１】
次に、表示モード判定部１１２は、アプリケーションからの第２表示部２１の表示モードの指定があるか否かを判定する（ステップＳ４８）。
【０１１２】
第２表示部２１の表示モードの指定がアプリケーションからある場合（ステップＳ４８；ＮＯ）、表示モード判定部１１２は、指定された表示モードが通常表示モードであるか否かを判定する（ステップＳ５２）。アプリケーションからの指定が通常表示モードである場合（ステップＳ５２；ＹＥＳ）、表示モード判定部１１２は、その旨を表示制御部１１３に通知する。この場合、表示制御部１１３は、表示情報生成部１１１が生成した表示情報を第２表示部２１に通常表示させる（ステップＳ５３）。一方、アプリケーションからの指定が通常表示モードでない場合（ステップＳ５２；ＮＯ）、表示モード判定部１１２はその旨を表示制御部１１３に通知し、この場合、表示制御部１１３は、第２表示部２１にメモリ表示させる（ステップＳ５１）。
【０１１３】
また、第２表示部２１の表示モードの指定がアプリケーションからなされない場合（ステップＳ４８；ＹＥＳ）、表示モード判定部１１２は、「表示モード判定処理」を行い、第２表示部２１の表示モードを判定する（ステップＳ４９）。ここでの「表示モード判定処理」は、図７に示した実施形態１の「表示モード判定処理１」と同一である。
【０１１４】
表示モード判定部１１２が判定した第２表示部２１の表示モードが、メモリ表示モードだった場合（ステップＳ５０；ＹＥＳ）、表示制御部１１３は、第２表示部２１にメモリ表示させる（ステップＳ５１）。一方、表示モード判定部１１２が判定した第２表示部２１の表示モードが、メモリ表示モードでなかった場合（ステップＳ５０；ＮＯ）、表示制御部１１３は、表示情報生成部１１１が生成した表示情報を第２表示部２１に通常表示させる（ステップＳ５３）。
【０１１５】
次に、バックライト制御部１１４が、バックライトの駆動電流の値を算出する「バックライト駆動判定処理」を行う（ステップＳ５４）。「バックライト駆動判定処理」の詳細は後述する。
【０１１６】
バックライト制御部１１４は、バックライト駆動判定処理の結果取得した値の駆動電流で第１バックライト１３および第２バックライト２３を同時に点灯する（ステップＳ５５）。アプリケーションを終了していない場合（ステップＳ５６：ＮＯ）、ステップＳ４１に戻り、ステップＳ４１〜ステップＳ５６を繰り返す。アプリケーションを終了した場合（ステップＳ５６：ＹＥＳ）、処理を終了する。
【０１１７】
上述した「表示処理２」で実行される「バックライト駆動判定処理」の詳細を、図１０に示すフローチャートを参照して説明する。図１０は、実施形態２に係るバックライト駆動判定処理（「バックライト駆動判定処理２」）の動作の一例を示すフローチャートである。図１０のバックライト駆動判定処理は、図９の表示処理２のステップＳ５４に定義した処理である。
【０１１８】
処理が開始されるとまず、バックライト制御部１１４は、照度検出部５０から光センサ情報を取得する（ステップＳ６１）。次に、バックライト制御部１１４は、表示制御部１１３に問い合わせることで、第１表示部１１および第２表示部２１の少なくとも一方の現在の表示モードがメモリ表示モードであるか否かを判定する（ステップＳ６２）。
【０１１９】
どちらもメモリ表示モードでない場合（ステップＳ６２；ＮＯ）、バックライト制御部１１４は、バックライト駆動電流テーブルの視認性優先パラメータを参照する（ステップＳ６５）。そして、バックライト制御部１１４は、バックライト駆動電流の値を取得して（ステップＳ６７）、処理を終了する。
【０１２０】
一方、少なくとも一方の表示モードがメモリ表示モードである場合（ステップＳ６２；ＹＥＳ）、バックライト制御部１１４は、第１表示部１１および第２表示部２１の表示情報が連携しているか否かを判定する（ステップＳ６３）。
【０１２１】
第１表示部１１と第２表示部２１の表示情報が独立している場合（ステップＳ６３；ＮＯ）、バックライト制御部１１４は、バックライト駆動電流テーブルの低消費電力優先パラメータを参照する（ステップＳ６６）。そして、バックライト制御部１１４は、バックライト駆動電流の値を取得して（ステップＳ６７）、処理を終了する。
【０１２２】
一方、第１表示部１１と第２表示部２１の表示情報が連携している場合（ステップＳ６３；ＹＥＳ）、バックライト制御部１１４は、第１表示部１１および第２表示部２１の表示モードが両方メモリ表示モードであるか否かを判定する（ステップＳ６４）。
【０１２３】
両方メモリ表示モードである場合（ステップＳ６４；ＹＥＳ）、バックライト制御部１１４は、バックライト駆動電流テーブルの低消費電力優先パラメータを参照する（ステップＳ６６）。そして、バックライト制御部１１４は、バックライト駆動電流の値を取得して（ステップＳ６７）、処理を終了する。
【０１２４】
一方、第１表示部１１あるいは第２表示部２１の片方がメモリ表示モードである場合（ステップＳ６４；ＮＯ）、バックライト制御部１１４は、バックライト駆動電流テーブルの視認性優先パラメータを参照する（ステップＳ６５）。そして、バックライト制御部１１４は、バックライト駆動電流の値を取得して（ステップＳ６７）、処理を終了する。
【０１２５】
以上説明したように、本発明を上記実施形態の如く適用することにより、複数の表示画面を持つ表示装置において、複数の表示画面すべてが、通常表示とメモリ表示との切り替えが可能な場合でも、ユーザから見た視認性および表示画質を損なわず、低電力で表示することができる。
【０１２６】
（実施形態３）
図１１は、実施形態３に係る移動体通信端末１の制御部１００によって実現される機能構成例を示す機能ブロック図である。実施形態３に係る移動体通信端末１では、上記各実施形態に係る機能構成に加え、状態判別部１１５が制御部１００によって実現される。
【０１２７】
状態判別部１１５は、ユーザからの入力部への操作の間隔をカウントする無操作タイマであり、第１表示部１１および第２表示部２１が通常表示した後に、一度タイマをリセットし、カウントを開始する。状態判別部１１５は、第１入力部１２または第２入力部２２にユーザからの操作入力がなくなってからの経過時間である無操作時間が所定の時間を超えた場合、所定の時間を超えたことを示す信号を表示制御部１１３に送信する。所定の時間は、ユーザからの設定で自由に時間が変えられることとする。
【０１２８】
図１２は、実施形態３に係る表示処理（「表示処理３」）の動作の一例を示すフローチャートである。この処理は、アプリケーションを起動したことを契機として開始する。
【０１２９】
ユーザが第１入力部１２または第２入力部２２に操作入力してアプリケーションを起動すると、まず、表示情報生成部１１１が、アプリケーションの指示により、ＶＧＡサイズ１面、もしくはＨＶＧＡサイズ２面の第１表示部１１および第２表示部２１に表示するための表示情報を生成する（ステップＳ７１）。
【０１３０】
表示制御部１１３は、表示情報生成部１１１が生成した表示情報を第１表示部１１および第２表示部２１に通常表示させる（ステップＳ７２）。状態判別部１１５は、無操作時間を測定する無操作タイマをリセットし（ステップＳ７３）、無操作時間の測定を開始する（ステップＳ７４）。そして、状態判別部１１５は、ユーザからの操作入力があったか否かを判定する（ステップＳ７５）。
【０１３１】
ユーザからの操作入力がない場合（ステップＳ７５；ＮＯ）、状態判別部１１５は、無操作時間が所定の値以上であるか否かを判定する（ステップＳ７６）。無操作時間が所定の値以上でない場合（ステップＳ７６;ＮＯ）、ステップＳ７５に戻り、ステップＳ７５およびステップＳ７６を繰り返す。無操作時間が所定の値以上である場合（ステップＳ７６;ＹＥＳ）、状態判別部１１５は、その旨を表示制御部１１３に通知する。この場合、表示制御部１１３は、第１表示部１１および第２表示部２１ともに、最後の表示画面をメモリ表示させ（ステップＳ７７）、ステップＳ７３に戻り、ステップＳ７３〜ステップＳ７７を繰り返す。
【０１３２】
その後、メモリ表示モードが終わるまで、アプリケーションの表示内容更新と表示情報生成部１１１からの表示情報の転送はストップし、表示制御部１１３も、表示メモリ部６０の更新をストップする。そして、無操作タイマのリセット、無操作時間の測定の開始に戻り、ユーザからの操作入力の監視に戻る。
【０１３３】
ユーザからの操作入力があった場合（ステップＳ７５；ＹＥＳ）、状態判別部１１５は、アプリケーションが終了したか否かを判定し（ステップＳ７８）、アプリケーションを終了していない場合（ステップＳ７８：ＮＯ）、ステップＳ７１に戻り、ステップＳ７１〜ステップＳ７８を繰り返す。アプリケーションを終了した場合（ステップＳ７８：ＹＥＳ）、処理を終了する。
【０１３４】
以上説明したように、本発明を上記実施形態の如く適用することにより、ユーザの無操作時間が長い場合、通常表示していた表示部もメモリ表示に切り替える事により、ユーザの使い勝手と低消費電力での動作を両立した表示装置を提供できる。
【０１３５】
（実施形態４）
図１３は、実施形態４に係る移動体通信端末１の構成例を示すブロック図である。実施形態４に係る移動体通信端末１は、上記各実施形態の移動体通信端末１にスタイル検出部８０を追加した構成である。
【０１３６】
スタイル検出部８０は、移動体通信端末１の向きを検出し、スタイルの種類（横向きスタイル・縦向きスタイル）を制御部１００に送信する。本実施形態では、スタイル検出部８０は、第２筐体２０側の基板に実装されたＸＹＺ方向の傾きを検出できる３軸の加速度センサである。
【０１３７】
また、本実施形態に係る制御部１００によって実現される機能は、上述した実施形態３と同様であるものとする。すなわち、図１１に示したような機能が制御部１００によって実現される。
【０１３８】
図１４は、実施形態４に係る移動体通信端末１の取り得るスタイルの例である。移動体通信端末１は、例えば、図１４（ａ）に示すような、第１表示部１１および第２表示部２１が横長の向きになる横向きスタイルと、図１４（ｂ）に示すような第１表示部１１および第２表示部２１が縦長の向きになる縦向きスタイルの２つのスタイルを持ち、それぞれのスタイルにおいて、さらに、正転スタイルと、１８０°回転した反転スタイルを持つ。
【０１３９】
スタイルの検出は、スタイル検出部８０によって得られる下記の情報に基づいて、状態判別部１１５によって判定される。ここで、スタイル検出部８０の３軸加速度センサの検出情報より、第２筐体２０側のＸ軸方向とＹ軸方向の鉛直方向に対する加速度の比率（＝傾き）が検出できる。それぞれの軸に対する加速度値の絶対値を比較し、Ｙ軸方向の傾斜角度が大きい場合は、横向きスタイルであり、Ｘ軸方向の傾斜角度が大きい場合は、縦向きスタイルである。
【０１４０】
さらに、横向きスタイルでのY軸方向の傾斜角度が０°以上（加速度値が負）の場合は正転スタイルで、０°未満（加速度値が正）の場合は反転スタイルであり、縦向きスタイルでのＸ軸方向の傾斜角度が０°以上（加速度値が負）の場合は正転スタイルで、０°未満（加速度値が正）の場合は反転スタイルである。
【０１４１】
図１５は、実施形態４に係る表示装置の各スタイルにおける時間経過を説明するためのである。図１５（ａ）は、横向きスタイルにおける移動体通信端末１の時間経過を示す。横向きスタイルの場合、例えばメールアプリケーションを起動し、メールを作成するとき、移動体通信端末１は、ユーザから見て上側の表示部にアプリケーション画面を通常表示モードで表示し、下側の表示部にキーボード画面をメモリ表示モードで表示する。
【０１４２】
横向きスタイルになる前に、第１表示部１１および第２表示部２１がそれぞれ独立したアプリケーションを表示していた場合は、横向きスタイルに移行する際に、上側になる表示部に表示していたアプリケーションを優先し、下側になる表示部で表示していたアプリケーションは終了し、キーボード画面の表示を行う。すなわち、表示制御部１１３は、現在のアプリケーションが表示している表示情報を、アプリケーションの指示により横向きスタイルに適した横基調の表示情報に切り替え、上側の表示部に通常表示モードで表示し続ける。
【０１４３】
移動体通信端末１における下側の表示部と上側の表示部は、以下のようになる。状態判別部１１５が、横向きスタイルの正転であると判定した場合、第２表示部２１がユーザから見て下側の表示部になり、第１表示部１１が上側の表示部になる。
【０１４４】
反対に、状態判別部１１５が、横向きスタイルの反転であると判定した場合、第１表示部１１がユーザから見て下側の表示部になり、第２表示部２１が上側の表示部になる。状態判別部１１５はまた、ユーザからの第１入力部１２または第２入力部２２への操作があるかを検出し続け、ユーザからの操作入力が無く、無操作タイマの時間が所定の無操作時間を経過すると、状態判別部１１５はその旨を表示制御部１１３に通知する。この場合、表示制御部１１３は、上側の表示部をメモリ表示に切り替える。
【０１４５】
図１５（ｂ）は、縦向きスタイルにおける移動体通信端末１の時間経過を示す。縦向きスタイルである場合、例えば、インターネットアプリケーションを起動してＷｅｂページを閲覧するとき、表示制御部１１３は、Ｗｅｂページの表示情報を、アプリケーションの指示により縦向きスタイルに適した縦基調の表示情報に切り替え、当該表示情報を左右の表示部に通常表示モードで表示し続ける。
【０１４６】
状態判別部１１５はまた、ユーザからの第１入力部１２または第２入力部２２への操作があるかを検出し続け、ユーザからの操作入力が無く、無操作タイマの時間が、所定の無操作時間を経過すると、アプリケーションは、ユーザから見て左側をメイン画面、右側をサブ画面と定義して、アプリケーションの表示を行う。
【０１４７】
ここで、縦向きスタイルになる前に、第１表示部１１および第２表示部２１がそれぞれ独立したアプリケーションを表示していた場合は、縦向きスタイルに移行する際に、ユーザから見て左側のメイン画面になる表示部に表示していたアプリケーションを優先し、右側の表示部で表示していたアプリケーションは状態を保存して、一時終了する。そして、このときメイン画面のアプリケーションの表示情報を、左右の表示部に通常表示モードで表示する。なお、縦向きスタイルに移行する際に、はじめから左側をメイン画面、右側をサブ画面と定義して、アプリケーションの表示を行うこととしてもよい。
【０１４８】
また、左側をメイン画面、右側をサブ画面と定義して、アプリケーションの表示を行うとき、メイン画面のアプリケーションの指示がある場合は、サブ画面として指示内容の表示を行い、メイン画面のアプリケーションの指示が無い場合は、壁紙やカレンダーなどの高頻度での画面更新が必要でない表示を行う。この表示は、待ち受け画面設定としてユーザがあらかじめ設定した表示指定に従う。
【０１４９】
移動体通信端末１におけるメイン画面とサブ画面の配置は、例えば、以下のようになる。縦向きスタイルの正転の場合、第１表示部１１がユーザから見て左側となりメイン画面、第２表示部２１が右側となりサブ画面となる。反対に、縦向きスタイルの反転の場合、第２表示部２１がユーザから見て左側となりメイン画面、第１表示部１１が右側となりサブ画面となる。
【０１５０】
左側をメイン画面、右側をサブ画面と定義して、アプリケーションの表示を行ったあと、状態判別部１１５は、ユーザからの第１入力部１２または第２入力部２２への操作があるかをさらに検出し続け、ユーザからの操作入力が無く、無操作タイマの時間が所定の無操作時間を経過すると、状態判別部１１５はその旨を表示制御部１１３に通知する。この場合、表示制御部１１３は、左側の表示部（メイン画面）をメモリ表示に切り替える。
【０１５１】
なお、左側、上側をメイン画面とし、右側、下側をサブ画面としたが、逆であってもよい。
【０１５２】
図１６は、実施形態４に係る移動体通信端末１において、電子書籍を表示するための、いわゆるブックビューワアプリケーションを起動した場合の例を示す。ブックビューワアプリケーションが起動されると、状態判別部１１５は、スタイル検出部８０からの検出信号に基づいて、移動体通信端末１のスタイルを検出する。ここで、図１６（ａ）のような横向きスタイルの正転の場合、第１表示部１１をメイン画面、第２表示部２１をサブ画面と定義する。
【０１５３】
なお、横向きスタイルの反転の場合は、第２表示部２１をメイン画面、第１表示部１１をサブ画面と定義する。また、図１６（ｂ）のように、縦向きスタイルの正転の場合、第１表示部１１がユーザから見て左側となりメイン画面、第２表示部２１が右側となりサブ画面と定義する。
【０１５４】
なお、縦向きスタイルの反転の場合は、第２表示部２１がユーザから見て左側となりメイン画面、第１表示部１１が右側となりサブ画面と定義する。表示情報生成部１１１は、ブックビューワアプリケーションで再生する電子書籍の内容を示すブックコンテンツを表示情報として、表示制御部１１３に送信する
【０１５５】
表示制御部１１３は、表示情報生成部１１１から受け取ったブックコンテンツの画像のサイズと向きから、表示画像の分割および並び替え方法を決定し、表示画像の分割および並び替えを行い、表示メモリ部６０に展開する。表示制御部１１３は、メイン表示部で通常表示モードによるブックコンテンツ内のテキスト表示を行い、サブ表示部でブックコンテンツ内の目次を固定したメモリ表示モードによる表示を行う。
【０１５６】
図１７は、実施形態４に係る移動体通信端末１において、写真画像を表示するための、いわゆるフォトビューワアプリケーションを起動した場合の例を示す。図１７（ａ）は、横向きスタイルの正転の場合の例である。図１７（ｂ）は、縦向きスタイルの正転の場合の例である。フォトビューワアプリケーションのスライドショー表示では、２つの表示部に別々の写真画像を表示する。
【０１５７】
その際、状態判別部１１５は、スタイル検出８０からの検出信号に基づいて、移動体通信端末１のスタイルを検出する。表示制御部１１３は、それぞれの表示部の向きとサイズにフィットするように拡縮を行い、その写真画像を表示する。第１表示部１１および第２表示部２１はメモリ表示を行い、表示情報生成部１１１からの表示情報の転送は、新しい写真画像を表示する最初の１度だけとする。その後、あらかじめ設定された単位時間のスライドショー切り替え時間が経過する毎に、片方の画面ずつ情報更新を行う。すなわち、所定の時間が経過すると、次の表示情報である写真画像を、片方の表示画面毎に画素内のメモリに上書きして表示させる。
【０１５８】
図１８は、実施形態４に係る表示処理（「表示処理４」）の動作の一例を示すフローチャートである。この処理は、アプリケーションを起動したことを契機として開始する。
【０１５９】
ユーザが第１入力部１２または第２入力部２２に操作入力してアプリケーションを起動すると、まず、表示情報生成部１１１は、アプリケーションの指示により、ＶＧＡサイズ１面、もしくはＨＶＧＡサイズ２面の第１表示部１１および第２表示部２１に表示するための表示情報を生成する（ステップＳ８１）。
【０１６０】
表示制御部１１３は、表示情報生成部１１１が生成した表示情報を第１表示部１１および第２表示部２１に通常表示させる（ステップＳ８２）。状態判別部１１５は、無操作時間を測定する無操作タイマをリセットし（ステップＳ８３）、無操作時間の測定を開始する（ステップＳ８４）。そして、状態判別部１１５は、スタイル検出部８０からの検出信号に基づいて、移動体通信端末１の向きからスタイルの種類を判定する。（ステップＳ８５）。
【０１６１】
状態判別部１１５が判定したスタイルが横向きスタイルである場合（ステップＳ８６；ＹＥＳ）、状態判別部１１５はその旨を表示制御部１１３に通知する。この場合、表示制御部１１３は、アプリケーションの表示情報を、横向きスタイルに適した横基調の表示情報に切り替え、上側の表示部は、この横向きスタイルの表示情報を通常表示モードで表示する（ステップＳ８７）。
【０１６２】
また、ユーザからの操作入力がない場合（ステップＳ８８；ＮＯ）、状態判別部１１５は、無操作時間が所定の値Ｘ以上であるか否かを判定する（ステップＳ８９）。無操作時間が所定の値Ｘ以上でない場合（ステップＳ８９;ＮＯ）、ステップＳ８８に戻り、ステップＳ８８およびステップＳ８９を繰り返す。一方、無操作時間が所定の値Ｘ以上である場合（ステップＳ８９;ＹＥＳ）、状態判別部１１５はその旨を表示制御部１１３に通知する。この場合、表示制御部１１３は、上側の表示部に、最後の表示画面をメモリ表示させ（ステップＳ９０）ステップＳ８８に戻り、ステップＳ８８〜ステップＳ９０を繰り返す。
【０１６３】
一方、ユーザからの操作入力があった場合（ステップＳ８８；ＹＥＳ）、状態判別部１１５は、アプリケーションが終了したか否かを判定し（ステップＳ９１）、アプリケーションを終了していない場合（ステップＳ９１：ＮＯ）、ステップＳ８１に戻り、ステップＳ８１〜ステップＳ９１を繰り返す。アプリケーションを終了した場合（ステップＳ９１：ＹＥＳ）、処理を終了する。
【０１６４】
状態判別部１１５が判定したスタイルが縦向きスタイルである場合（ステップＳ８６；ＮＯ）、状態判別部１１５はその旨を表示制御部１１３に通知する。この場合、表示制御部１１３は、アプリケーションの表示情報を、縦向きスタイルに適した縦基調の表示情報に切り替え、左右の表示部は、この縦向きスタイルの表示情報を通常表示モードで表示する（ステップＳ９２）。
【０１６５】
また、ユーザからの操作入力があった場合（ステップＳ９３；ＹＥＳ）、状態判別部１１５は、アプリケーションが終了したか否かを判定し（ステップＳ９９）、アプリケーションを終了していない場合（ステップＳ９９：ＮＯ）、ステップＳ８１に戻り、ステップＳ８１〜ステップＳ９９を繰り返す。アプリケーションを終了した場合（ステップＳ９９：ＹＥＳ）、処理を終了する。
【０１６６】
一方、ユーザからの操作入力がない場合（ステップＳ９３；ＮＯ）、状態判別部１１５は、無操作時間が所定の値Ｙ以上であるか否かを判定する（ステップＳ９４）。無操作時間が所定の値Ｙ以上でない場合（ステップＳ９４;ＮＯ）、ステップＳ９３に戻り、ステップＳ９３およびステップＳ９４を繰り返す。
【０１６７】
無操作時間が所定の値Ｙ以上である場合（ステップＳ９４;ＹＥＳ）、状態判別部１１５はその旨を表示制御部１１３に通知する。この場合、表示制御部１１３は、ユーザから見て左側をメイン画面、右側をサブ画面と定義して、アプリケーションの表示を行う（ステップＳ９５）。
【０１６８】
さらにユーザからの操作入力がない場合（ステップＳ９６；ＮＯ）、状態判別部１１５は、無操作時間が所定の値Ｘ以上であるか否かを判定する（ステップＳ９７）。無操作時間が所定の値Ｘ以上でない場合（ステップＳ９７;ＮＯ）、ステップＳ９６に戻り、ステップＳ９６およびステップＳ９７を繰り返す。
【０１６９】
無操作時間が所定の値Ｘ以上である場合（ステップＳ９７;ＹＥＳ）、状態判別部１１５はその旨を表示制御部１１３に通知する。この場合、表示制御部１１３は、ユーザから見て左側の表示部に、最後の表示画面（メイン画面）をメモリ表示させ（ステップＳ９８）、ステップＳ９６に戻り、ステップＳ９６〜ステップＳ９８を繰り返す。
【０１７０】
一方、ユーザからの操作入力があった場合（ステップＳ９６；ＹＥＳ）、状態判別部１１５は、アプリケーションが終了したか否かを判定し（ステップＳ９９）、アプリケーションを終了していない場合（ステップＳ９９：ＮＯ）、ステップＳ８１に戻り、ステップＳ８１〜ステップＳ９９を繰り返す。アプリケーションを終了した場合（ステップＳ９９：ＹＥＳ）、処理を終了する。
【０１７１】
以上説明したように、本発明を上記実施形態の如く適用することにより、ユーザはスタイル変更操作の簡便な方法で必要なアプリケーションの表示と、メモリ表示モードへの切り替えを行うことができる。さらに、検知したスタイルの種類と無操作時間をメモリ表示モードへの切り替え判定に加えることにより、より高精度にユーザの視認性を損なわず、低消費電力表示の制御が出来る。
【０１７２】
移動体通信端末１においてブックビューワアプリケーションを起動する場合は、メイン表示部は、通常表示モードでブックコンテンツ内のテキスト表示を行い、サブ表示部は、ブックコンテンツ内の目次を固定したメモリ表示モードで表示を行うことにより、通常表示を行う表示部のテキストは自由にスクロールが行え、かつメモリ表示を行う表示部は、低消費電力でコンテンツ全体を表示できることで、ユーザはコンテンツ全体を意識しながら、快適にコンテンツを読むことができる。
【０１７３】
移動体通信端末１においてフォトビューワアプリケーションを起動する場合は、スライドショー表示において、２つの表示部に別々の写真画像をメモリ表示し、スライドショー切り替え時間が経過する毎に、片方ずつ新たな写真画像に表示更新することにより、メモリ表示による低電力化に加え、スライドショー中の画面更新回数を低減することができる。
【０１７４】
（実施形態５）
図１９は、実施形態５に係る移動体通信端末１の外観構成の例を示す図である。図示するように、本実施形態に係る移動体通信端末１は、図１に示した実施形態１の構成に加え、第１筐体１０に第３表示部３１と第３入力部３２が構成され、第２筐体２０に第４表示部４１と第４入力部４２が構成されている。
【０１７５】
このような移動体通信端末１の内部構成を、図２０を参照して説明する。図２０は、本発明の実施形態５に係る移動体通信端末１の内部構成例を示すブロック図である。図示するように、実施形態５に係る移動体通信端末１は、図２で示した実施形態１の構成に加え、第３表示部３１、第３入力部３２、第３バックライト３３、第４表示部４１、第４入力部４２、第４バックライト４３、を備えた構成である。
【０１７６】
すなわち、実施形態５に係る移動体通信端末１は、第１実施形態の移動体通信端末１が２つずつ備えていた表示部、入力部およびバックライトをそれぞれ４つずつ備えた構成となる。なお、これら４つの表示部のいずれもが、ＱＶＧＡ（Quarter VGA：クォーターＶＧＡ）サイズの半透過液晶であり、各画素内にＲＧＢ各１ｂｉｔのメモリを備えており、制御部１００からリフレッシュ転送される表示情報の表示を行うか、制御部１００からのリフレッシュ転送なしで各画素内のメモリから８色表示を行うかを切り替えることが可能である。
【０１７７】
この場合に制御部１００によって実現される機能は、図３に示した実施形態１における機能構成と同様であるが、表示情報生成部１１１は、第１入力部１２、第２入力部２２、第３入力部３２、第４入力部４２からの入力に基づいて表示情報の生成等をおこない、表示制御部１１３は、第１表示部１１、第２表示部２１、第３表示部３１、第４表示部４１の表示制御をおこない、バックライト制御部１１４は、第１バックライト１３、第２バックライト２３、第３バックライト３３、第４バックライト４３の制御をおこなうことになる。
【０１７８】
ここで、本実施形態に係る移動体通信端末１が取り得るスタイルを図２１に示す。本実施形態に係る移動体通信端末１は、図２１（ａ）に示すような、第１表示部１１、第２表示部２１、第３表示部３１および第４表示部４１が横長の向きになる横向きスタイルと、図２１（ｂ）に示すような、第１表示部１１、第２表示部２１、第３表示部３１および第４表示部４１が縦長の向きになる縦向きスタイルとの２つのスタイルを持ち、それぞれのスタイルで正転スタイルと、１８０°回転した反転スタイルを持つ。
【０１７９】
図２２は、実施形態５に係る表示情報と分割方法と表示画像の関係を示す図である。第１表示部１１、第２表示部２１、第３表示部３１および第４表示部４１ともに通常モードで表示する場合、表示制御部１１３は、図２２に示すように、表示情報生成部１１１から受け取った表示情報の画像のサイズと向きから、表示画像の分割および並び替え方法を決定し、表示画像の分割および並び替えを行い、表示メモリ部６０に展開する。ここで、アプリケーションの表示内容更新と、表示情報生成部１１１による表示情報の更新は、例えば、３０Ｈｚで行われるものとし、表示制御部１１３は、表示情報生成部１１１から表示情報を受け取る度に、表示画像の分割とデータの並び替えを行い、表示メモリ部６０を更新する。
【０１８０】
表示制御部１１３は、表示メモリ部６０に展開された第１表示部１１、第２表示部２１、第３表示部３１および第４表示部４１に表示するための表示情報をそれぞれの表示部へ、例えば、ＲＧＢ８８８・６０Ｈｚでリフレッシュ転送する。第１表示部１１および第２表示部２１はリフレッシュ転送された表示情報を表示する。
【０１８１】
例えば、表示情報としてサイズがＷ６４０×Ｈ４８０の横長のＶＧＡ画像を表示情報生成部１１１が生成した場合、分割方法は「縦横分割」となる。第１表示部１１に表示する表示画像は元の画像の右上のＱＶＧＡ画像（サイズ：Ｗ３２０×Ｈ２４０）となり、第２表示部２１に表示する表示画像は元の画像の右下のＱＶＧＡ画像（サイズ：Ｗ３２０×Ｈ２４０）となり、第３表示部３１に表示する表示画像は元の画像の左上のＱＶＧＡ画像（サイズ：Ｗ３２０×Ｈ２４０）となり、第４表示部４１に表示する表示画像は元の画像の左下のＱＶＧＡ画像（サイズ：Ｗ３２０×Ｈ２４０）となる。
【０１８２】
各表示部に通常表示モードで表示させる場合、表示制御部１１３は、表示情報生成部１１１で作成された情報を、図２２に示すように、その画像のサイズと向きから、表示画像の分割とデータの並び替え方法を決定、分割と並び替えを行い、表示メモリ部６０に展開する。その後、アプリケーションの表示内容更新と、表示情報生成部１１１からの表示情報の更新は３０Ｈｚで行われ、その都度、表示制御部１１３は表示画像の分割とデータの並び替えを行い、表示メモリ部６０を更新する。そして、表示メモリ部６０の各表示部への表示情報を、それぞれの表示部へＲＧＢ８８８・６０Ｈｚでリフレッシュ転送する。各表示部はリフレッシュ転送されたデータの内容を表示する。
【０１８３】
各表示部にメモリ表示モードで表示させる場合、表示制御部１１３は、表示情報生成部１１１から受け取った表示情報について、図２２に示すように、その画像のサイズと向きから、表示画像の分割とデータの並び替え方法を決定、分割と並び替えを行い、表示メモリ部６０に展開する。この時、表示制御部１１３は、各表示部へ表示するための表示情報の、ＲＧＢ各画素８ｂｉｔデータの最上位ビットのみを残し、ＲＧＢ１１１（＝８色表示）のデータとして表示メモリ部６０に展開する。この際、ディザ処理等でエッジをなめらかにする処理などを追加しても構わない。
【０１８４】
また、各表示部へのＲＧＢ１１１の画像は、１度だけ第２表示部２１および第４表示部４１へ転送される。その際、各表示部はリフレッシュ転送されたデータの内容を表示し、各表示部は得られた表示情報を画素内のメモリに保存し、画素内のメモリからのメモリ表示に切り替える。
【０１８５】
本実施形態に係る表示動作を、図２３に示すフローチャートを参照して説明する。図２３は、実施形態５に係る表示処理（「表示処理５」）の動作の一例を示すフローチャートである。この処理は、アプリケーションを起動したことを契機として開始する。
【０１８６】
ユーザが第１入力部１２、第２入力部２２、第３入力部３２または第４入力部４２に操作入力してアプリケーションを起動すると、まず、表示情報生成部１１１は、アプリケーションの指示により、ＶＧＡサイズ１面、もしくはＨＶＧＡサイズ２面、もしくはＱＶＧＡサイズ４面の第１表示部１１、第２表示部２１、第３表示部３１および第４表示部４１に表示するための表示情報を生成する（ステップＳ１０１）。
【０１８７】
そして、表示モード判定部１１２は、第１表示部１１について判定表示処理、第２表示部２１について判定表示処理、第３表示部３１について判定表示処理第４表示部４１について判定表示処理を順次実行する（ステップＳ１０２〜ステップＳ１０５）。これらの判定表示処理の詳細は後述する。
【０１８８】
次に、バックライト制御部１１４は、バックライトの駆動電流の値を算出するバックライト駆動判定処理を行う（ステップＳ１０６）。バックライト制御部１１４は、表示生成部１１がバックライト駆動判定処理の結果取得した値の駆動電流で第１バックライト１３、第２バックライト２３、第３バックライト３３および第４バックライト４３を同時に点灯する（ステップＳ１０７）。ここでのバックライト駆動判定処理は、図１０に示した実施形態２の「バックライト駆動判定処理２」を４つのバックライトに応用した場合と同一である。
【０１８９】
ここで、アプリケーションを終了していない場合（ステップＳ１０８：ＮＯ）、ステップＳ１０１に戻り、ステップＳ１０１〜ステップＳ１０８を繰り返す。アプリケーションを終了した場合（ステップＳ１０８：ＹＥＳ）、処理を終了する。
【０１９０】
上述した「表示処理５」において実行される「判定表示処理」の詳細を、図２４に示すフローチャートを参照して説明する。図２４は、実施形態５に係る判定表示処理の動作の一例を示すフローチャートである。図２４の判定表示処理は、図２２に示した「表示処理５」におけるステップＳ１０２、ステップＳ１０３、ステップＳ１０４およびステップ１０５に定義する処理である。
【０１９１】
処理が開始されると、まず、表示モード判定部１１２は、アプリケーションからの当該表示部への表示モードの指定があるか否かを判定する（ステップＳ１１１）。
【０１９２】
アプリケーションからの当該表示部の表示モードの指定がある場合（ステップＳ１１１；ＮＯ）、表示モード判定部１１２は、アプリケーションからの指定が通常表示モードであるか否かを判定する（ステップＳ１１５）。アプリケーションからの指定が通常表示モードである場合（ステップＳ１１５；ＹＥＳ）、表示モード判定部１１２は、表示制御部１１３にその旨を通知する。この場合、表示制御部１１３は、表示情報生成部１１１が生成した表示情報を当該表示部に通常表示させて（ステップＳ１１６）、処理を終了する。
【０１９３】
アプリケーションからの指定が通常表示モードでない場合（ステップＳ１１５；ＮＯ）、表示モード判定部１１２は、その旨を表示制御部１１３に通知する。この場合、表示制御部１１３は、当該表示部にメモリ表示させて（ステップＳ１１４）、処理を終了する。
【０１９４】
一方、アプリケーションからの当該表示部の表示モードの指定がない場合（ステップＳ１１１；ＹＥＳ）、表示モード判定部１１２は、表示モード判定処理を行い、当該表示部の表示モードを判定する（ステップＳ１１２）。表示モード判定部１１２が判定した当該表示部の表示モードが、メモリ表示モードだった場合（ステップＳ１１３；ＹＥＳ）、表示制御部１１３は、当該表示部にメモリ表示させて（ステップＳ１１４）、処理を終了する。
【０１９５】
表示モード判定部１１２が判定した当該表示部の表示モードが、メモリ表示モードでなかった場合（ステップＳ１１３；ＮＯ）、表示制御部１１３は、表示情報生成部１１１が生成した表示情報を当該表示部に通常表示させて（ステップＳ１１６）、処理を終了する。
【０１９６】
なお、図２４に示した「判定表示処理」のステップＳ１１２に定義した「表示モード判定処理」は、図７に示した実施形態１の「表示モード判定処理１」と同一である。
【０１９７】
以上説明したように、本発明を上記実施形態の如く適用することにより、４つの通常表示よびメモリ表示の両方が可能な表示部を持つ表示装置において、ユーザから見た視認性および表示画質を損なわず、低電力で表示することができる。
【０１９８】
また、前述のバックライト駆動電流テーブルを参照してバックライトの明るさを制御することにより、第１表示部１１、第２表示部２１、第３表示部３１および第４表示部４１が連動、もしくは複数の表示部で１つの画像を表示している場合、４つの表示部の一部のみのバックライトが暗くなり、複数の表示部をあわせた状態での視認性の悪化を防ぐことができる。また、４つの表示部がすべてメモリ表示モードの場合は、すべて低消費電力優先の表示の明るさになり、４つの表示部の表示明るさがバラバラになり視認性の悪化することなく、低消費電力で表示が出来る。
【０１９９】
（実施形態６）
上記実施形態６の構成に、実施形態４で例示したようなスタイル検出部８０を追加し、図２５に示すような構成としてもよい。
【０２００】
この場合、実施形態４と同様、制御部１００によって実現される状態判別部１１５は、ユーザからの入力部への操作の間隔をカウントする無操作タイマとして機能するとともに、スタイル検出部８０から入力される検出信号に基づいて、移動体通信端末１のスタイルを判定する。
【０２０１】
図２６は、実施形態６にかかる移動体通信端末１において文字入力アプリケーションを起動した場合の例を示す。文字入力アプリケーションを起動すると、状態判別部１１５は、スタイル検出部８０からの検出信号に基づいて、移動体通信端末１のスタイルを判定する。
【０２０２】
図２６（ａ）に横向きスタイルの場合の表示画面の例を示す。横向きスタイルの正転の場合、下側表示部２面は、第４表示部４１および第２表示部２１になり、第４表示部４１はキーボード左画面を、第２表示部２１はキーボード右画面をメモリ表示する。上側表示部２面は第３表示部３１および第１表示部１１になり、文字入力アプリケーションの表示情報を通常表示する。
【０２０３】
また、横向きスタイル（正転）の画面の表示の方向は、各表示部の短辺が上となる向きで表示する。横向きスタイルの反転の場合、下側表示部２面は、第１表示部１１および第３表示部３１になり、第１表示部１１はキーボード左画面を、第３表示部３１はキーボード右画面をメモリ表示する。上側表示部２面は第２表示部２１および第４表示部４１になり、文字入力アプリケーションの表示情報を通常表示する。また、横向きスタイル（反転）の画面の表示の方向は、各表示部の短辺が上となる向き（上下反転）で表示する。
【０２０４】
図２６（ｂ）に縦向きスタイルの場合の表示画面の例を示す。縦向きスタイルの正転の場合、下側表示部２面は、第３表示部３１および第４表示部４１になり、第３表示部３１はキーボード左画面を、第４表示部４１はキーボード右画面をメモリ表示する。上側表示部２面は第１表示部１１および第２表示部２１になり、文字入力アプリケーションの表示情報を通常表示する。
【０２０５】
また、縦向きスタイル（正転）の画面の表示の方向は、各表示部の長辺が上となる向きで表示する。縦向きスタイルの反転の場合、下側表示部２面は、第２表示部２１および第１表示部１１になり、第２表示部２１はキーボード左画面を、第１表示部１１はキーボード右画面をメモリ表示する。上側表示部２面は第４表示部４１および第３表示部３１になり、文字入力アプリケーションの表示情報を通常表示する。また、縦向きスタイル（反転）の画面の表示の方向は、各表示部の長辺が上となる向き（上下反転）で表示する。
【０２０６】
本実施形態に係る移動体通信端末１の表示動作を、図２７に示すフローチャートを参照して説明する。図２７は、実施形態６に係る表示処理（「表示処理６」）の動作の一例を示すフローチャートである。この処理は、アプリケーションを起動したことを契機として開始する。
【０２０７】
ユーザが第１入力部１２、第２入力部２２、第３入力部３２または第４入力部４２に操作入力してアプリケーションを起動すると、まず、表示情報生成部１１１は、アプリケーションの指示により、ＶＧＡサイズ１面、もしくはＨＶＧＡサイズ２面、もしくはＱＶＧＡサイズ４面の第１表示部１１、第２表示部２１、第３表示部３１および第４表示部４１に表示するための表示情報を生成する（ステップＳ１２１）。
【０２０８】
表示制御部１１３は、表示情報生成部１１１が生成した表示情報を、第１表示部１１、第２表示部２１、第３表示部３１および第４表示部４１に通常表示させる（ステップＳ１２２）。状態判別部１１５は、無操作時間を測定する無操作タイマをリセットし（ステップＳ１２３）、無操作時間の測定を開始する（ステップＳ１２４）。また、スタイル検出部８０からの検出信号に基づいて、状態判別部１１５は、移動体通信端末１の向きからスタイルの種類を判定する。（ステップＳ１２５）。
【０２０９】
横向きスタイルである場合（ステップＳ１２６；ＹＥＳ）、表示制御部１１３は、アプリケーションの表示情報を、横向きスタイルにあった横基調の表示情報に切り替え、上側２面の表示部は、横向きスタイルの文字入力アプリケーションの表示情報を通常表示し、下側２面の表示部は横向きスタイルのキーボード画面をメモリ表示する（ステップＳ１２７）。
【０２１０】
縦向きスタイルである場合（ステップＳ１２６；ＮＯ）、表示制御部１１３は、アプリケーションの表示情報を、縦向きスタイルにあった横基調の表示情報に切り替え、上側２面の表示部は、縦向きスタイルの文字入力アプリケーションの表示情報を通常表示し、下側２面の表示部は縦向きスタイルのキーボード画面をメモリ表示する（ステップＳ１２８）。
【０２１１】
次に、状態判別部１１５は、ユーザからの操作入力があるか否かを判定する（ステップＳ１２９）。ユーザからの操作入力がない場合（ステップＳ１２９；ＮＯ）、状態判別部１１５は、無操作時間が所定の値以上であるか否かを判定する（ステップＳ１３０）。無操作時間が所定の値以上でない場合（ステップＳ１３０;ＮＯ）、ステップＳ１２９に戻り、ステップＳ１２９およびステップＳ１３０を繰り返す。
【０２１２】
無操作時間が所定の値以上である場合（ステップＳ１３０;ＹＥＳ）、表示制御部１１３は、上側２面の表示部に、最後の表示画面をメモリ表示させる（ステップＳ１３１）。この場合、ステップＳ１２９に戻り、ステップＳ１２９〜ステップＳ１３１を繰り返す。
【０２１３】
一方、ユーザからの操作入力があった場合（ステップＳ１２９；ＹＥＳ）、アプリケーションが終了したか否かを判定し（ステップＳ１３２）、アプリケーションを終了していない場合（ステップＳ１３２：ＮＯ）、ステップＳ１２１に戻り、ステップＳ１２１〜ステップＳ１３２を繰り返す。アプリケーションを終了した場合（ステップＳ１３２：ＹＥＳ）、処理を終了する。
【０２１４】
以上説明したように、本発明を上記実施形態の如く適用することにより、４つの通常表示よびメモリ表示の両方が可能な表示部を備えた表示装置で、どのスタイルでも、必ずユーザ手前側にキーボードをメモリ表示でき、かつ、ユーザの無操作時間が長い場合、通常表示していた表示部もメモリ表示に切り替える事により、ユーザの使い勝手と低消費電力での動作を両立した表示装置を提供できる
【０２１５】
上記実施形態は一例であり、本発明の適用範囲はこれに限られない。すなわち、種々の応用が可能であり、あらゆる実施の形態が本発明の範囲に含まれる。
【０２１６】
例えば、上記実施形態では、本発明にかかる表示装置を移動体通信端末に適用した場合を例示したが、メモリ表示可能な表示手段を備えたものであれば、移動体通信端末に限られず、種々の電子機器に本発明を適用することができる。
【０２１７】
また、本発明にかかる構成を予め備えた電子機器だけでなく、既存の電子機器にプログラムを適用することで、本発明にかかる電子機器として機能させることができる。
【０２１８】
このようなプログラムの適用方法は任意であり、例えば、ＣＤ−ＲＯＭやメモリカードなどの記憶媒体に格納して適用できる他、例えば、インターネットなどの通信媒体を介して適用することもできる。
【符号の説明】
【０２１９】
１…移動体通信端末、１０…第１筐体、１１…第１表示部、１２…第１入力部、１３…第１バックライト、２０…第２筐体、２１…第２表示部、２２…第２入力部、２３…第２バックライト、３１…第３表示部、３２…第３入力部、３３…第３バックライト、４１…第４表示部、４２…第４入力部、４３…第４バックライト、５０…照度検出部、６０…表示メモリ部、７０…記憶部、８０…スタイル検出部、１００…制御部、１１１…表示情報生成部、１１２…表示モード判定部、１１３…表示制御部、１１４…バックライト制御部、１１５…状態判別部
【図１】
2011248152.tif 000003
【図２】
2011248152.tif 000004
【図３】
2011248152.tif 000005
【図４】
2011248152.tif 000006
【図５】
2011248152.tif 000007
【図６】
2011248152.tif 000008
【図７】
2011248152.tif 000009
【図８】
2011248152.tif 000010
【図９】
2011248152.tif 000011
【図１０】
2011248152.tif 000012
【図１１】
2011248152.tif 000013
【図１２】
2011248152.tif 000014
【図１３】
2011248152.tif 000015
【図１４】
2011248152.tif 000016
【図１５】
2011248152.tif 000017
【図１６】
2011248152.tif 000018
【図１７】
2011248152.tif 000019
【図１８】
2011248152.tif 000020
【図１９】
2011248152.tif 000021
【図２０】
2011248152.tif 000022
【図２１】
2011248152.tif 000023
【図２２】
2011248152.tif 000024
【図２３】
2011248152.tif 000025
【図２４】
2011248152.tif 000026
【図２５】
2011248152.tif 000027
【図２６】
2011248152.tif 000028
【図２７】
2011248152.tif 000029